(57)【要約】  抗破壊南京錠（１）は、鎖、留め具、または類似の要素を固定するために使用され、タンブラーカム錠（４）と共に、その適用場面に応じた特定の形状を有する２つの連結する装甲（２、３）から構成される。この南京錠（１）は、切断、レバー動作等による侵害の対象となり得る、露出したシャックルも、如何なる他の類似要素も有さない。【選択図】図２
2017526838.tif 000002
【特許請求の範囲】
【請求項１】
（連結のための要素として参照される）鎖、留め具等を確実に保持するための抗破壊南京錠であって、前方装甲、後方装甲、及びタンブラーカム錠を有し、
前記前方装甲及び後方装甲は、一体化構造を形成する各すくい面において、相互に連結し、前記タンブラーカム錠は、前記前方装甲の対称軸上の通過用開口部、及び、その平面状すくい面からその内部へ前記後方装甲の対称軸に平行に突き出る非通過用開口部を介して、前記前方装甲の外装面から、前記前方装甲の平面状すくい面へ、挿入され、
施錠装置は、前記前方装甲及び後方装甲間の連結手段を構成し、
第１の連結のための要素、及び第２の連結のための要素間の後方装甲及び前方装甲の前記平面状すくい面上にも、結合手段が存在する、ことを特徴とする抗破壊南京錠。
【請求項２】
前記第１及び第２の連結のための要素間の前記結合手段は、平面状すくい面上の周囲に幾何学的に配置された半径軸を有し、かつ、互いに向かい合う様に、第１曲線状半円形窪み及び第２曲線状半円形窪みにより、前記前方装甲上に規定され、
第１平面突起部及び第２平面突起部は、前記第１曲線状半円形窪み及び前記第２曲線状半円形窪みに対向し、
前記後方装甲において、前記結合手段は、第１曲線状半円形窪み及び第２曲線状半円形窪みにより規定され、その双方は、前記平面状すくい面の周囲に幾何学的に配置された半径軸に沿って、互いに向かい合い、
第１平面突起部及び第２平面突起部は、前記第１曲線状半円形窪み及び前記第２曲線状半円形窪みに対向し、前記前方装甲上の第１及び第２突起部（５’’、５’’’）の各々と連結する、ことを特徴とする請求項１に記載の抗破壊南京錠。
【請求項３】
前記第１及び第２の連結のための要素は、唯一の鎖の連結であることを特徴とする、請求項２に記載の抗破壊南京錠。
【請求項４】
前記第１及び第２の連結のための要素は、２つの異なる鎖の端の連結であることを特徴とする、請求項２に記載の抗破壊南京錠。
【請求項５】
前記第１及び第２の連結のための要素の前記結合手段は、互いに平行である第１及び第２直線状窪みにより、前記前方装甲上に規定されるという事実を、その主要な特徴として有し、
前記後方装甲において、前記結合手段は、互いに平行である第１及び第２直線状窪みにより、規定され、
これらの第１及び第２窪みは、前記前方装甲上の第１及び第２窪みの各々と連結することを特徴とする、請求項１〜４のいずれか一項に記載の抗破壊南京錠。
【請求項６】
前記前方装甲のすくい面上に規定される前記第１及び第２直線状窪みは、前記第１及び第２曲線状半円形窪みの上位端及び下位端の各々から、突き出ることを特徴とする、請求項５に記載の抗破壊南京錠。
【請求項７】
前記後方装甲のすくい面上に規定される前記第１及び第２直線状窪みは、前記第１及び第２曲線状半円形窪みの上位端及び下位端の各々から、突き出ることを特徴とする、請求項６に記載の抗破壊南京錠。
【請求項８】
抗破壊南京錠は円筒形状タンブラーカム錠を有し、
その形状に従い、前記円筒形状タンブラーカム錠は、前記前方装甲の対称軸上の通過用開口部内に挿入することのできない小さな直径の第１前部を有し、
第２部分は、中間直径を有し、前記前方装甲の対称軸上の通過用開口部内に挿入することができ、
第３後方部分は、より小さな直径を有し、前記後方装甲上の開口部内に挿入されるものとしてもよく、
前記第３後方部分上には、前記施錠装置に固有の鍵または類似要素を用いて、開放または閉鎖間において選択的に制御される、前記後方装甲との連結手段が存在することを特徴とする請求項１〜７のいずれか一項に記載の抗破壊南京錠。
【請求項９】
前記前方装甲及び後方装甲は、その外面上において完全な半球であり、
そして、前記前方装甲及び後方装甲は、連結されると、完全な球体構造を為すことを特徴とする請求項１〜８のいずれか一項に記載の抗破壊南京錠。
【請求項１０】
前記前方装甲及び後方装甲のすくい面間に、正しい位置決め及び中央揃え手段が存在することを特徴とする請求項１〜９のいずれか一項に記載の抗破壊南京錠。
【請求項１１】
前記前方装甲及び後方装甲は、金属製材料を用いて作製されることを特徴とする請求項１〜１０のいずれか一項に記載の抗破壊南京錠。
【請求項１２】
前記前方装甲及び後方装甲は、高抵抗ポリマーを用いて作製されることを特徴とする請求項１〜１１のいずれか一項に記載の抗破壊南京錠。
【請求項１３】
前記定着手段は、パレット及びボルトであることを特徴とする請求項１〜１２のいずれか一項に記載の抗破壊南京錠。
【請求項１４】
（連結のための要素として参照される）鎖、留め具、または類似の要素を固定するために使用される抗破壊南京錠であって、
前記抗破壊南京錠は、前方装甲、後方装甲、及びタンブラーカム錠から成り、
前記前方装甲及び後方装甲の双方は、その各すくい面において、相互に連結し、
これらの装甲は、連結されると、一体化構造を形成し、
前記タンブラーカム錠は、前記前方装甲の対称軸上の通過用開口部、及び、前記後方装甲の平面状すくい面からその内部へ前記後方装甲の対称軸に平行に突き出る非通過用開口部を介して、前記前方装甲の外装面から、前記前方装甲の平面状すくい面へ、挿入されるものであり、
前記タンブラーカム錠は、前方及び後方の各装甲間の連結手段を構成し、
第１及び第２の連結のための要素の前方装甲及び後方装甲の前記平面状すくい面間に、結合手段が規定される、ことを特徴とする抗破壊南京錠。
【発明の詳細な説明】
【技術分野】
【０００１】
本願発明は、特殊構造物に起因する開錠または侵害に対して特別な保護を提供する、鎖（チェーン）、留め具（ラッチ）等を固定するために用いる抗破壊南京錠に関する。
【背景技術】
【０００２】
何世紀にも渡り、南京錠が使用されている。その歴史は、フェデリコハビエルピトンが、現在のノルウェー領の島の一つに位置する村であるスタムスンドに工場を建てた、１７世紀の終わりにまで遡る。そこで、彼は、とりわけ、北欧の“プールヘム”として知られる南京錠を発明して製造した。その２世紀半後に、ハリーソレフが、マスターロック社を設立し、１９２１年には、北欧モデルを改良して南京錠の特許を取得した。１９２４年の４月には、彼は、南京錠の特許を売却した。ソレフの南京錠は、銀行のドアの建設に使用される物に類似した種類の金属の層に覆われるため、強くて廉価であった。その後、彼は、積層鋼を用いた同一の南京錠を発表した。
【０００３】
当然のことながら、南京錠は、ドア自体が錠（ロック）を備えていない場合、または、実用上若しくは経済上の理由により従来の錠が存在しない場合に携帯可能な錠として使用される安全装置である。実際に、南京錠は、通常、非常に安く非常に使い易い。特に、南京錠は、鋼鉄製の鎖により施錠される大きな金属製のドアに適している。この種類のドアを閉めるために、南京錠は、そのシャックル（Ｕ字型金具）を環状鎖に挿入して施錠することにより、使用される。
【０００４】
南京錠は、泥棒や侵入者による、私有財産の不法侵害、住居侵入窃盗、妨害工作、及び他の破壊行為を防止するために、主に、通常使用されないドア等、日常生活の多様な場面において、使用可能である。最も高度かつ最大の南京錠は、鎖により施錠された金属製のドアを塞ぐために使用される。
【０００５】
南京錠は、非常に有名かつ大量に存在するため、現在使用されているものについて記載することには、あまり意味がないであろう。しかしながら、単にその構成部分に名称を付ける目的のために、南京錠は、シャックルを閉じて固定するために、内部に固定機構を有する固定体から、構成されると言うことができる。シャックルは、少なくとも１つの環状鎖を介してまたは直接的に、留め具内に挿入される。閉鎖機構に関し、技術の進歩により、鍵（キー）が不要となった。近年では、南京錠は、機械的パスワード（組合せ）、電子的パスワード、または、登録ユーザの指紋を容易に認識して開くことのできる（ミントパスの所有するデジタル南京錠として知られる）指紋スキャナさえも用いて、閉じることもできる。
【０００６】
しかしながら、その長い歴史にも拘らず、現在の南京錠には、多くの試行によっても未だに改善されていない問題点が存在する。従来型及び非従来型の双方の南京錠に関し、上記問題点は、シャックルが露出することである。かかる問題点は、装甲された南京錠の場合にも生じ得る。シャックルの露出部分の長さを減少させても、依然、その一部は常に露出されたままとなり、手動式、気圧式、若しくは水圧式のはさみまたはペンチにより、切断され得る。同様に、南京錠は、例えば、長手方向若しくは環状の刃を有するのこぎり等の切削工具を用いた、衝撃による破壊またはレバー動作による開錠により、破られる。同様のことは、例えば、手動のやすりまたは電子要素または要素、あるいは、例えば、“ドレメル”等の携帯可能な石または円形の研削盤を用いた、砥石切断器具によっても、実行することができる。
【発明の概要】
【発明が解決しようとする課題】
【０００７】
上述した全てのケースにおいて、同一の問題点：シャックルの全部または一部が露出することにより住居侵入窃盗または破壊行為が防止不能となることが、これまで存在している。画期的かつ簡便な本願発明は、上記問題点を解消するものである。
【課題を解決するための手段】
【０００８】
本願発明の目的は、第一に、シャックルを環状要素に用いない抗破壊南京錠を作製することであり；第二に、連結された要素の双方を包み込む閉鎖方式を有する抗破壊南京錠を作製することであり；第三に、装飾的かつ美的形状により現存の物を改良した抗破壊南京錠を作製することであり；第四に、本願発明は、多用途かつ高度な安全性により南京錠の新たな概念の基礎を為すことを意図するものであり；最終的には、本願発明は、南京錠が破壊行為を受けることを防止することを目的として、球状の幾何学的外部形状、及びその全ての外面に均等な剛性を有する抗破壊南京錠を作製することを目的とする。
【図面の簡単な説明】
【０００９】
【図１】図１は、一実施例に係る閉じた抗破壊南京錠の全体斜視図を示す図である。
【図２】図２は、開いて棒が外れた状態にある上記実施例に係る抗破壊南京錠の３つの基礎部品の各々を示す図である。
【図３】図３は、図２に示した抗破壊南京錠に類似する図である。この場合、南京錠は、環状の鎖に挿入される。
【図４】図４は、抗破壊南京錠の他の側面を示すために、図２及び図３とは反対の角度から、上記実施例に係る抗破壊南京錠の各部品を別々に示す図である。この場合、図４は、今にも固定されそうな鎖も示す。
【図５】図５は、２つの鎖または同一の鎖の端を固定している、上記実施例に係る閉じた抗破壊南京錠を示す図である。
【図６】図６は、ダブルゲート（丁番式補助あおり）の留め具を施錠している、一実施例に係る開いた球状の抗破壊南京錠の個別の部品を示す図である。
【図７】図７は、ボルトを閉じている、上記実施例に係る開いた抗破壊南京錠を示す図である。
【図８】図８は、ボルトを塞いでいる、図７と同一の実施例に係る閉じた抗破壊南京錠を示す図である。
【図９】図９は、第２実施例に係る開いた抗破壊南京錠の下向き斜視図である。
【図１０】図１０は、上記第２実施例に係る開いた抗破壊南京錠の上向き斜視図である。
【図１１】図１１は、閉じた抗破壊南京錠の複数の斜視図である。
【図１２】図１２は、第３実施例に係る開いた抗破壊南京錠の下向き斜視図である。
【図１３】図１３は、第３実施例に係る開いた抗破壊南京錠の上向き斜視図である。
【図１４】図１４は、第３実施例に係る閉じた抗破壊南京錠の複数の斜視図である。
【図１５】図１５は、第４実施例に係る開いた抗破壊南京錠の上向き斜視図である。
【図１６】図１６は、第４実施例に係る開いた抗破壊南京錠の下向き斜視図である。
【発明を実施するための形態】
【００１０】
以下の説明では、説明をより明確かつ分かり易くするために、図１〜図５を参照する。
【００１１】
南京錠は、鎖、留め具等の１つの端同士、または双方の組合せを連結するのに使用可能であるという事実のために、以降、“連結のための要素”と称する。鎖、留め具等は、他の要素（お金、私有財産、手荷物等）を固定するのに用いる要素であるため、南京錠を“固定のための要素”と称することは不正確であるので、上記の様な呼称を用いることに価値がある。本実施例においては、第１の連結のための要素は、第１の環状の鎖であり１６により参照され、第２の連結のための要素は、第２の環状の鎖であり１６’により参照される。南京錠１は、例えば、ゲートの２つの部分の各々、または、一方が壁に取り付けられ他方がゲートに取り付けられた留め具において、留め具によりダブルゲートを施錠するのに用いることができる。
【００１２】
抗破壊南京錠１は、前方装甲２、後方装甲３、及びタンブラーカム錠４を有する。前方装甲２及び後方装甲３のすくい面（切断面）は、相互に接続される。この様にして、これら双方の装甲は、一体化構造を実現する。タンブラーカム錠４は、前方装甲２の外装面から、前方装甲２の対称軸上の通過用開口部１０を介して、上記装甲の平面状すくい面へ挿入される。また、タンブラーカム錠４は、後方装甲３の対称軸から突き出た１つの非通過用開口部９を介して、後方装甲３の平面状すくい面から、上記装甲の内部へ挿入される。タンブラーカム錠４の特徴については、後述する。その一方で、タンブラーカム錠４が、前方装甲２及び後方装甲３間の連結手段であることには、言及する価値がある。
【００１３】
上述した様に、本願発明の第１実施例に係る抗破壊南京錠の主要な効果は、シャックルが存在しないため、侵害される様な露出が無くなることである。この様な目的を達成するために、第１の連結のための要素１６及び第２の連結のための要素１６’間の連動関係が、前方装甲２及び後方装甲３の平面状すくい面間に、設定される。
【００１４】
第１の連結のための要素１６及び第２の連結のための要素１６’間の上記連動関係は、連動する際に補完し合う前方装甲２及び後方装甲３において、部分的に規定される。
【００１５】
上記の説明は、図４から明確に視認可能である。
【００１６】
前方装甲２に関し、上記連動関係は、第１曲線状半円形窪み７’’及び第２曲線状半円形窪み７’’’により規定される。これらの曲線状窪み７’’、７’’’は、平面状すくい面の周囲に幾何学的に配置された半径軸を有し、かつ、互いに向かい合う。これらの曲線状窪み７’’、７’’’は、完全に対向するために、相互間において１８０°の角度に配置される。上述した開口部１０及び窪み７’’、７’’’を考慮し、第１平面突起部５''及び第２平面突起部５’’’は、互いに正反対に向かい合って規定される。突起部５''、５’’’の配置される角度は、南京錠の作製された適用目的に依存するであろう。このため、これらの突起部は、常に正確に１８０°である必要はなく、連結のための要素１６、１６'の双方が上記角度により挿入される様に、たとえ９０°でも異なる角度に、幾何学的に配置されるものとしてもよい。更に、これらの突起部は、双方の突起部５''、５’’’が互いに平行となるであろう３６０°に配置することもできる。
【００１７】
以下の説明は、図２から明確に視認可能である。
【００１８】
後方装甲３に関し、上記連動関係は、第１曲線状半円形の突起部７及び第２曲線状半円形の突起部７’により規定される。これらの曲線状突起部７、７’’は、平面状すくい面の周囲に幾何学的に配置された半径軸を有し、かつ、反対方向（一例として１８０°の角度）にある。この様に、第１平面突起部５及び第２平面突起部５’は、前方装甲２の場合と同様に、後方装甲３のすくい面上に、反対方向に規定される。
【００１９】
前述した様な、南京錠の適用に依存する配置角度とは別に、後方装甲３上の第１及び第２の突起部５、５’が、前方装甲２上の第１及び第２の突起部５’’、５’’’とそれぞれ連結する様に、前方装甲２及び後方装甲３は、完全に対称でなければならない。
【００２０】
上述したタイプの窪み及び突起部は、突起部５、５’’’及び曲線状窪み７、７’’’の連結作用により、（本実施例では鎖の端である）第１の連結のための要素１６を取り付けることができる。一方、（本実施例では同一の鎖の他端である）第２の連結のための要素１６’は、突起部５’、５’’及び曲線状窪み７’、７’’の連結作用により、連結されるであろう。
【００２１】
上記段落に従い、第１の連結のための要素１６及び第２の連結のための要素１６’が、２つの異なる鎖の端において連結する場合にも、同様の事が起きるであろう。
【００２２】
第１実施例に係る抗破壊南京錠においては、第１の連結のための要素１６及び第２の連結のための要素１６’間の連動手段は、前方装甲２内において、互いに平行な第１直線状窪み８’’及び第２直線状窪み８’’’により、規定される；一方、後方装甲３内において、上記連動手段は、双方が互いに平行である第１平面窪み８及び第２平面窪み８’により、規定される。この様に、これらの第１及び第２平面窪み８、８’は、前方装甲２内の第１及び第２窪み８’’、８’’’と、それぞれ連結する。すなわち、窪み８、８’は、窪み８’’、８’’’と連結する。これは、例えば、ドアまたはゲートの留め具、道具箱等の直線状要素を、確実に連結させることが必要な場合である。
【００２３】
図６は、直線状要素を連結するための南京錠の１つの適用例を示す。図６は、ダブルゲートの双方のドア１９、１９'に取り付けられた２つの直線状留め具１８、１８'を連結するために用いられる球状の抗破壊南京錠１が、開状態にありかつその部品の分離した様子を示す。
【００２４】
南京錠は、その設計において、図１〜図５の実施例に示す様に、曲線状及び直線状の連動手段と交換可能な様に機能することができるため、より多用途である。この様な目的を達成するために、構造上の観点から、前方装甲２のすくい面に規定された第１直線状窪み８’’及び第２直線状窪み８’’’は、第１曲線状窪み７''及び第２曲線状窪み７’’’の上位端及び下位端の各々から突き出る。一方、後方装甲３のすくい面においては、第１直線状窪み８及び第２直線状窪み８１は、第１曲線状窪み７及び第２曲線状窪み７'の上位端及び下位端の各々から突き出る。
【００２５】
以下、上記段落に従い、タンブラーカム錠４の詳細構造について説明する。タンブラーカム錠は円筒形状を有する。その形状に従い、第１前部は狭く、前方装甲２の対称軸上の通過用開口部１０内に挿入することのできない最大直径１７を有する。第２部分は、前方装甲２の対称軸上の通過用開口部１０内に挿入可能な中間直径１３を有する。更にその形状に従い、タンブラーカム錠は、後方装甲３の開口部９内に挿入可能なより狭い直径１２を有する第３後方部も有する。定着手段１４は、第３後方狭部１２内に設けられる。これにより、タンブラーカム錠が、安全な方法で後方装甲９と連結することが可能となる。この様に、上記の画期的な南京錠の閉塞（ブロッキング）システムは、前方装甲２の移動をブロックする大きな直径１７を有する、タンブラーカム錠の第１部分、及び後方装甲３のために同一の機能を有する定着手段１４の連結作用から成る。
【００２６】
定着手段１４は、パレット（歯止め）、ボルト、または他の幾つかの閉鎖手段から構成されるものとしてもよい。言うまでもなく、後方装甲３は、上記定着手段１４を包囲するのに必要な内部形状を有する必要がある。とはいえ、その詳細については、定着手段のタイプに依存するであろうことから、さほど重要ではない。その詳細については、タンブラーが市販の物から入手可能か、または、タンブラーが市場内のタンブラーの改良であるか、といった選択されたタンブラーカム錠４のタイプにさえ依存する。
【００２７】
南京錠の施錠及び開錠は何れも、ボルト１５の位置に依存する。ボルト１５の位置は、タンブラーカム錠に固有の鍵または類似要素を用いて、“開放”または“閉鎖”の位置から切替え可能である。
【００２８】
タンブラーカム錠に用いられる機構のタイプが本願発明を限定するものではないことには、言及する価値がある。換言すれば、本実施例では、鍵を用いて開く標準的なタンブラーカム錠を使用するものとした。しかしながら、“デジタル南京錠”に適したタンブラーカム錠は、指紋認証、数値コードの入力、無線周波数識別カード、ブルートゥース（登録商標）接続により、南京錠のユーザの携帯電話に組み込まれたソフトウェアコード認証等を用いて、動作するものであってもよい。
【００２９】
前方装甲２及び後方装甲３の幾何学的外部形状は、上記図面に限定されない。前方装甲２及び後方装甲３は、南京錠の適用場面に応じて、立方体、円筒形状等を採ることができるであろう。しかしながら、第１実施例に係る南京錠の前方装甲２及び後方装甲３が、外面的に完全な半球形状を有することには、言及する価値がある。この様に、前方装甲２及び後方装甲３は、連結する際、完全球状の外部幾何学的構造を規定する。かかる特徴により、閉じた南京錠は、侵害行為が困難となり、安全性のレベルが向上する。
【００３０】
図に示す様に、連結のための要素の双方を正確に閉鎖及び取付け可能とする突起部及び窪みの間において、双方の部品が完全に結合する様に、前方装甲２及び後方装甲３のすくい面の間には、中央位置決め手段が存在するものとしてもよい。
【００３１】
上記実施例において、上記位置決め手段は、前方装甲２の平面状すくい面上の開口部１６、１６’、及び、上記各開口部１６、１６’に対応するボルト６、６’である。
【００３２】
製造上の観点からは、本願発明により紹介される抗破壊南京錠を製造するために、前方装甲２及び後方装甲３は、注入工程等によりアルミニウム合金から製造される、例えば、鋼鉄、青銅等の金属製の部品上において、機械化されるものとしてもよい。更に別の代替手段として、特別に製造された金型（モールド）内において、ポリマーを注入するものとしてもよい。この様な目的を達成するために、より高い安全性レベルが必要な場合には、例えば、ガラス繊維を有するナイロン６６（登録商標）等の、エンジニアリングプラスチックまたは高抵抗ポリマーを、南京錠の製造に際して検討するものとしてもよい。
【００３３】
図７及び図８は、その装甲２０、２１がボルト２２を塞いでいる様子を視認可能な、別の実施例に係る抗破壊南京錠１を示す。図９は、第２実施例に係る開いた抗破壊南京錠を示す下向き斜視図である。
【００３４】
最後に、図９、図１０、及び図１１を参照し、第２実施例（参照番号２３）について説明する。概念的には、第２実施例は、上述した様な抗破壊南京錠に関する。しかしながら、その三次元の態様は、この場合には端部の丸い立方体形状を有する。
【００３５】
図１２、図１３、及び図１４は、第３実施例（参照番号２４）を示す。第３実施例においては、抗破壊南京錠２４は、この場合には端部の丸い、短いシリンダ形状を有する三次元の態様を採る。
【００３６】
最後に、図１５及び図１６は、第４実施例に係る抗破壊南京錠（参照番号２５）を示す。第４実施例においては、図１に示した南京錠に関し、改良された施錠装置が使用される。概念的には、同一の南京錠である。しかしながら、第４実施例では、閉塞（ブロッキング）機構の詳細構造は、後方装甲３'（図の下方）内の金属核と同様であり、前方装甲２'（図の上方）内に、連結する同等部分があるものとしてもよい。
【００３７】
この金属核２６は、装甲が注入工程によりポリマーから成る場合に、最初から南京錠を支持することを目的とする。金属核２６は、如何なる金属、好適には鋼鉄から成るものとしてもよい。
【００３８】
本特許出願は、該当する技術分野における何れの専門家も理解できる様に、本願発明の概念を記載することを目的としている。とはいえ、同一の開発コンセプトに従いその保護対象となる本願発明の如何なる変形態様についても、その大きさ、構成、形状、適用対象等を問わず、本特許出願に包含され得ることに言及することには、価値がある。
【００３９】
以上、本願発明について詳細に説明したが、その実現されるべき機能及び方法については、以下の特許請求の範囲により、独占的な財産及び権利として請求される：
【図１】
2017526838.tif 000003
【図２】
2017526838.tif 000004
【図３】
2017526838.tif 000005
【図４】
2017526838.tif 000006
【図５】
2017526838.tif 000007
【図６】
2017526838.tif 000008
【図７】
2017526838.tif 000009
【図８】
2017526838.tif 000010
【図９】
2017526838.tif 000011
【図１０】
2017526838.tif 000012
【図１１】
2017526838.tif 000013
【図１２】
2017526838.tif 000014
【図１３】
2017526838.tif 000015
【図１４】
2017526838.tif 000016
【図１５】
2017526838.tif 000017
【図１６】
2017526838.tif 000018
【国際調査報告】
2017526838.tif 000019
2017526838.tif 000020
2017526838.tif 000021